(57)【要約】【課題】ステレオイヤホンマイクの集音性能の向上とデザイン上の改善を図る。【解決手段】携帯電話機１の本体２には側面にヘッドセットジャック３が設けられ、このヘッドセットジャック３にはスピーカ部４、マイクロホン兼スピーカ部５及びリモコン６、端子７をケーブル８で連結したステレオイヤホン９が端子７の抜き差しにより接続／取り外し可能に設けられる。マイクロホン兼スピーカ部５は、マイクロホンとスピーカの構成をスピーカ部自体に収めたものであり、音楽再生時はスピーカとして機能し、通話時はリモコン６の切換えキー１０を操作することにより、マイクロホンに切り替わる。【選択図】      図１
2004153360.tif 000002
【特許請求の範囲】
【請求項１】
オーディオ再生機能を有する携帯電話機本体と、一端に一対のスピーカ部を有し、リモコンを介在して他端で前記本体に接続されるステレオイヤホンとを備えたステレオイヤホン付き携帯電話機において、前記一対のスピーカ部の一方がマイクロホンとして使用可能であり、そのスピーカ部のマイクロホンへの切換えをリモコンの切換えキー操作によって行なうようにしたことを特徴とするステレオイヤホン付き携帯電話機。
【請求項２】
前記リモコンは、音楽再生時の操作を行なうリモコンであることを特徴とする請求項１に記載のステレオイヤホン付き携帯電話機。
【発明の詳細な説明】
【０００１】
【発明の属する技術分野】
本発明は、オーディオ再生機能を有するステレオイヤホン付き携帯電話機に関するものである。
【０００２】
【従来の技術】
現在、自動車の運転中の携帯電話機の使用は規制され、通話時はイヤホンマイクの装着が義務付けられている。このイヤホンマイクは、耳に装着するスピーカ部とは別に、マイクロホンをイヤホンケーブル上に備えたものが一般的である（例えば、特許文献１参照。）。
【０００３】
また、最近ではオーディオ再生機能を備えたステレオイヤホン付き携帯電話機も登場しているが、この場合も上記と同様の構成のステレオイヤホンマイクを採用し、音楽再生中でも着呼できるようにしている（例えば、特許文献２参照。）。
【０００４】
【特許文献１】
実開平４−１３１０９５号公報
【特許文献２】
特開２００２−１７１３１４号公報
【０００５】
【発明が解決しようとする課題】
しかしながら、上記特許文献１及び特許文献２のイヤホンマイクでは、口元に来るマイクロホンが宙ぶらりんであり、顔が動くとマイクロホンが揺れるため、声を安定して集音することができないという問題があった。
【０００６】
特に、特許文献２のステレオイヤホンマイクは、マイクロホンがステレオイヤホンマイクの見栄えを悪くし、混雑した電車内では人目が気になって落ち着いて音楽が聴けないといった課題があった。
【０００７】
本発明は、上記の課題に鑑みてなされたものであり、ステレオイヤホンマイクの集音性能の向上とデザイン上の改善を図ったステレオイヤホン付き携帯電話機を提供することを目的とする。
【０００８】
【課題を解決するための手段】
上記目的を達成するために本発明のステレオイヤホン付き携帯電話機は、オーディオ再生機能を有する携帯電話機本体と、一端に一対のスピーカ部を有し、リモコンを介在して他端で前記本体に接続されるステレオイヤホンとを備えたステレオイヤホン付き携帯電話機において、前記一対のスピーカ部の一方がマイクロホンとして使用可能であり、そのスピーカ部のマイクロホンへの切換えをリモコンの切換えキー操作によって行なうようにしたことを特徴としている。
【０００９】
この構成によると、音楽再生中に着信があった場合でも、リモコンの切換えキーを操作することにより、ステレオイヤホンの一対のスピーカ部をスピーカとマイクロホンにして通話を行なうことができる。
【００１０】
そして、音楽再生時の操作を行なうリモコンに切換えキーを設けることで、リモコンの機能性を向上させることができる。
【００１１】
【発明の実施の形態】
以下に本発明の実施形態を図面を参照して説明する。図１は、ステレオイヤホン付き携帯電話機１を示す正面図である。携帯電話機１の本体２には側面にヘッドセットジャック３が設けられ、このヘッドセットジャック３にはスピーカ部４、マイクロホン兼スピーカ部５及びリモコン６、端子７をケーブル８で連結したステレオイヤホン９の端子７を抜き差しできるようになっている。
【００１２】
マイクロホン兼スピーカ部５は、マイクロホンとスピーカの構成をスピーカ部自体に収めたものであり、音楽再生時はスピーカとして機能し、通話時はマイクロホンに切り替わる。リモコン６は、音楽再生時の操作キー、マイクロホン兼スピーカ部５のスピーカ・マイクロホンの切換えをダイヤル操作で行なう切換えキー１０、着信時の通話キー１１、終話キー１２を備えている。
【００１３】
図２は、ステレオイヤホン９の模式的な構成図であり、スピーカ部４・端子７間は音声出力信号線１３で、マイクロホン兼スピーカ部５・端子７間は音声出力信号線１４及び音声入力信号線１５で、リモコン６・端子７間は制御信号線１６で接続されている。これらの信号線１３〜１６は、可撓性を有する樹脂製の皮膜で保護されることで、図１に示すようなケーブル８となっている。そして、これらの信号線１３〜１６は、ステレオイヤホン９の端子７を本体２のイヤホンジャック３に差し込むことにより、音楽再生、着信通知、音声の送受信（通話）などを統括制御する本体２側のマイコンから成る制御部（図示せず）に接続することができる。
【００１４】
このような携帯電話機１において、例えば音楽再生機能を起動させると、任意に選択された音楽データの再生が、スピーカ部４、マイクロホン兼スピーカ部５を介して行なわれ、さらに、電話機能を起動させると、スピーカ部４、マイクロホン兼スピーカ部５、リモコン６の操作に応じて、電話の着信、通話、待ち受けが行なわれる。
【００１５】
具体例を図３のフローチャートに従って説明する。ステップ＃１でステレオイヤホン９を装着して音楽再生時に携帯電話機１が着信を受けたとき、ステップ＃２でリンガーを鳴動する。ステップ＃３で通話キー１１の押下が確認されると、ステップ＃４で割り込み処理として音楽再生を一時停止して着呼する。更に、ステップ＃５でリモコン６の切換えキー１０を操作して、マイクロホン兼スピーカ部５・端子部７間の接続を音声出力信号線１４から音声入力信号線１５へ切り替えることで、マイクロホン兼スピーカ部５をマイクロホンとして使用し、スピーカ部４で発呼者の声を聞きながら通話を始める。このとき、マイクロホン兼スピーカ５を耳から外して口元で保持しておくことで、マイクロホンの集音品質が安定するので、通話に支障をきたすことがない。
【００１６】
そして、ステップ＃６で終話キー１２を押下して終話すると、音楽再生の一時停止が解除され、再生が再開される。このとき、ステップ＃７で再度リモコン６の切換えキー１０を操作し、上記切換えを元の音声出力信号線１４に戻すことで、マイクロホン兼スピーカ部５をスピーカとし使用し、ステレオイヤホン９から出力される音楽を両耳で聴く。
【００１７】
【発明の効果】
以上説明したように本発明のオーディオ機能を備えた携帯電話機は、スピーカ部の一方がマイクロホンにもなるマイクロホン兼スピーカ部として構成されたステレオイヤホンを利用するものであり、音楽再生中に着信があった場合でも、リモコンを使ってマイクロホン兼スピーカ部をマイクロホンに切り替えることにより、速やかに通話モードに移行できる。このステレオイヤホンは、ＭＤプレーヤ等の携帯オーディオ機器に利用されているステレオヘッドホンと外観は変わらないため、人前で使うのに羞恥心をあおることはなく、違和感なく使用できる。
【００１８】
そして、通話時には、このマイクロホンを手に持って口元に保持することで、集音品質が安定し、良好な通話状態を維持することができる。
【図面の簡単な説明】
【図１】本発明に係るステレオイヤホン付き携帯電話機を示す正面図である。
【図２】そのステレオイヤホンの模式的な構成図である。
【図３】その音楽再生中に着信があった場合の携帯電話機の動作例を示すフローチャートである。
【符号の説明】
１  携帯電話機
２  本体
３  ヘッドセットジャック
４  スピーカ部
５  マイクロホン兼スピーカ部
６  リモコン
７  端子
８  ケーブル
９  ステレオイヤホン
１０  切換えキー
【図１】
2004153360.tif 000003
【図２】
2004153360.tif 000004
【図３】
2004153360.tif 000005